(57)【特許請求の範囲】
【請求項１】
回路基板上に半導体センサチップを実装するとともに、前記半導体センサチップの電極と前記回路基板の配線の間に金属柱を介在させてなる半導体センサであって、
前記金属柱は、複数の金属突起が積み重なって構成され、
その複数の金属突起が積み重なって構成される金属柱を複数個隣接して配置するとともに、それら複数個の金属柱間にはんだが充填されていることを特徴とする半導体センサ。
【請求項２】
半導体センサチップの電極と回路基板の配線の接続方法であって、
前記電極の上に複数の金属突起を順次積層して金属柱を形成するとともに、その金属柱を隣接するように複数個配置する形成工程と、
その隣接した複数個の金属柱間にはんだを充填して一体化する工程と、
その一体化された金属柱を前記配線に接続するようにして前記半導体センサチップを前記回路基板に実装する工程とを有し、
前記形成工程は、少なくとも前記電極上に第１金属突起を形成し、
次いで前記第１金属突起部の上部を平坦化して平坦部を形成し、
前記平坦部上に第２金属突起を形成するような工程を含むものであることを特徴とする半導体センサの製造方法。
【発明の詳細な説明】
【０００１】
【発明の属する技術分野】
本発明は、半導体のパッケージング技術に関するもので、より具体的には基板と半導体センサチップの電気的接合技術に関する。
【０００２】
【従来の技術】
半導体センサチップを回路基板に実装してパッケージングする方法の一つとして、従来からワイヤボンディング法が用いられている。すなわち、図１に示すように、半導体センサチップ１を樹脂製のステム２の底面にダイボンディング材３を用いて固定する。次いで、ステム２に一体的に形成されたリード端子４と半導体センサチップ１の端子とをボンディングワイヤ５にて接続する。そして、ステム２の外側に突出したリード端子４の先端を回路基板上の配線パターンに電気的に導通させるようにしている。
【０００３】
また、係るボンディングワイヤ法では、半導体センサチップ１をステム２に実装し、そのステム２を基板に装置実装するようになっており、しかも、ボンディングワイヤ５をはわせる空間が必要となるので、小型化に限界があった。
【０００４】
そこで、さらなる小型化を図るため、最近、一般のＩＣで用いられているバンプを用いたベアチップ実装（フリップチップ実装）を半導体センサの実装にも適用することが試みられている。
【０００５】
すなわち、図２に示すように、半導体センサチップ１の電極部に金属突起（バンプ）７を設け、それを基板８と向かい合わせて接合する。このとき、金属突起７は、基板８上に形成された配線パターンに接合される。さらに、金属突起７の存在しない基板８と半導体センサチップ１の隙間には、接合材９が充填される。このように、半導体センサチップ１を直接基板８に接続することにより、大幅な小型化を図ることができる。
【０００６】
【発明が解決しようとする課題】
しかしながら、図２に示す構造では、小型化は図れるものの、新たな問題が生じる。すなわち、半導体センサチップ１内に発生する応力によってセンサに歪みが発生し、出力特性の変化が起こってしまう。
【０００７】
すなわち、半導体センサチップ１は、通常検出対象の物理量を受けて変位する可動部（梁（重り）・ダイアフラムなど）を有するシリコン基板と、そのシリコン基板を固定するガラス基板を積層した構造となっている。また、基板８は、上記シリコンやガラスに比べて熱膨張係数の大きいガラエポ樹脂により構成されている。
【０００８】
さらに、金属突起７の高さは、高くても１００μｍ程度が限度であり、実際には数１０μｍ程度となる。したがって、基板８と半導体センサチップ１の一体化の度合いが強く、金属突起７の部分では応力が吸収されない。
【０００９】
そして、温度変化にともない基板８が大きく膨張・収縮しようとした場合、その基板８に接合されているガラス基板はそれに追従して比較的大きく膨張・収縮するものの、基板に接続されていないシリコン基板や、ガラス基板（３層構造の場合）は、フリー状態であるのでもともと有する熱膨張係数にしたがって膨張・収縮するのでその変化量は少ない。その結果、シリコン基板の両面（基板に接続されたガラス基板側と、その反対側の面）での膨張率が異なるので、シリコン基板自体にも応力がかかるとともに、測定対象の物理量が変化しないにもかかわらずその温度変化にともなって可動部が変位してしまい、ガラス基板とのギャップが上下で異なってしまう。その結果、オフセット値が変動してしまい、正確な出力特性が得られなくなる。
【００１０】
本発明は、上記した背景に鑑みてなされたもので、その目的とするところは、上記した問題を解決し、半導体センサチップと基板の熱膨張係数の相違にともない発生する温度変化時の半導体センサチップ側へ応力や撓みを低減させることで、高性能で小型の半導体センサ及びその製造方法を提供することにある。
【００１１】
【課題を解決するための手段】
上記した目的を達成するために、本発明に係る半導体センサでは、回路基板上に半導体センサチップを実装するとともに、前記半導体センサチップの電極と前記回路基板の配線の間に金属柱を介在させてなる半導体センサであって、前記金属柱は、複数の金属突起が積み重なって構成することを前提とする。
【００１２】
このように構成すると、半導体センサチップと回路基板の間の隙間は、金属柱の高さ、つまり積層した複数個の金属突起の合計の高さとほとんど同じだけ空くことになる。
【００１３】
なお、複数の金属突起は、すべて同一の材質で構成されていてもよいし、別の材質で構成されていても構わない。また、複数の金属突起は、すべて同一形状で構成されていてもよいし、別の形をしていても構わないものとする。
【００１４】
要するに、例えば、半導体センサチップの電極上に金属突起を形成し、その金属突起の上部に何らかの導電部材で厚みを付けたとき、半導体センサチップと回路基板の間にできる隙間の高さが、金属突起のみを半導体センサチップの電極上に形成した後、この金属突起と回路基板を接続したときにできる隙間よりも大きな隙間を作れるような導電部材であれば、そのような金属突起の上部に厚みを作る何らかの導電部材は、半導体センサチップの電極上に形成する金属突起と同様に請求項１に記載される金属突起に含まれる。
【００１５】
上記したことと同様の理由で、突起を構成する金属突起の外観は必ずしも明確な突起である必要はないものとする。そして、実施の形態には具体的に記載していないが、例えば、半導体センサチップと回路基板を突起を介して接続するとき、半導体センサチップ側に金属突起があり、回路基板側にも別の金属突起があって、この金属突起同士が接続されるようにして形成された構成も、本発明に当然含まれるものとする。
【００１６】
また、金属突起を形成する材質として、「金」が全ての実施の形態で用いられているが、基本的に硬くてもろい金属でなければ金以外の導電材料を用いても構わない。また、半導体センサチップと回路基板の間の隙間には、金属突起以外の部材があっても構わないものとする。
【００１７】
本発明は、上記した前提のもと、前記金属柱を複数個隣接して配置するとともに、それら複数の金属柱間にはんだ充填されるように構成した。このように構成すると、例えば、ベアチップ実装装置によって半導体センサチップを回路基板に実装するときに、一つ一つの突起が接続時の圧力で破損しにくくなる。なお、この構成の具体的な一例を実施の形態において示したが、金属柱を構成する金属突起の本数及び金属柱の束ねられ方は任意である。
【００１８】
つまり、実施の形態では、３つの金属突起の中心を三角形の各頂点に配した後、はんだにてこれらの突起を束ねるようにして形成したが、例えば、４つの突起の中心を正方形状になるように配した後、これらの突起を束ねてもよく、種々変更実施が可能である。
【００１９】
また、本発明に係る半導体センサの製造方法では、半導体センサチップの電極と回路基板の配線の接続方法であって、前記電極の上に複数の金属突起を順次積層して金属柱を形成するとともに、その金属柱を隣接するように複数個配置する形成工程と、その隣接した複数個の金属柱間にはんだを充填して一体化する工程と、その一体化された金属柱を前記配線に接続するようにして前記半導体センサチップを前記回路基板に実装する工程とを有する。そして、前記形成工程は、少なくとも前記電極上に第１金属突起を形成し、次いで前記第１金属突起部の上部を平坦化して平坦部を形成し、前記平坦部上に第２金属突起を形成するような工程を含むようにした。
【００２０】
金属突起を形成後次の金属突起を形成するに際し、前工程として、形成した金属突起（第１金属突起）の上面を潰して平坦部とすることにより、その上に積層する第２金属突起との接続強度が高まる。従って、例え金属柱の高さが高くなっても一定の強度が得られる。
【００２１】
なお、第１金属突起部に平坦部を形成するのは、あくまで、第１金属突起部上に第２金属突起部を形成しやすくしたり、この２つの金属突起部間の接続強度を上げるための製作工程であるので、必ずしも純粋な平面である必要はない。
【００２２】
そして、前記金属柱を隣接するように複数配置し、前記金属柱間にはんだを充填することにより、複数の金属柱がはんだにより一体化されるので、強度が増す。
【００２３】
なお、複数の金属柱は同時に形成していってもよいし、１個ずつ形成してもよい。すなわち、前者は実施の形態でも説明したように、複数の金属柱をそれぞれ構成する金属突起を同時に形成し、次いで、それら複数の金属突起の上端を平坦化し、次に平坦化された各金属突起の上に次の金属突起を形成することである。また、後者は例えばまず１本の金属柱を形成し、次にその金属柱に隣接して別の金属柱を形成するという工程をとることである。
【００２４】
【発明の実施の形態】
図３は、本発明に係る半導体センサ１０の前提となる構成を示している。同図に示すように、半導体センサチップ１１と回路基板１２の間に、複数の金属柱１３を介在させている。この金属柱１３の上端は、半導体センサチップ１１の電極に接続され、金属柱１３の下端は回路基板１２の表面に形成された配線パターン上に接続されている。これにより、その金属柱１３を介して半導体センサチップ１１の電極と回路基板１２の配線パターンとが導通され、ベアチップ実装される。
【００２５】
ここで本発明では、金属柱１３を複数の金属突起で形成している。つまり、この例では第１金属突起１３ａと第２金属突起１３ｂの２つの金属突起を積み重ねることにより形成される。
【００２６】
すなわち、図４に半導体センサチップ１１を示すように、矩形状をした半導体センサチップ１１の裏面１１ａには、回路基板の配線パターンに接続するための高さ２００μｍ程度の金属柱１３が形成されている。そして、この形成位置は、半導体センサチップ１１の電極形成位置であり、まず裏面１１ａ側に第１金属突起１３ａを形成し、その第１金属突起１３ａの上面に第２金属突起１３ｂを積層形成している。
【００２７】
さらに、センサチップ１１と基板１２には金属柱１３の高さ分のギャップが生じることになるので、そこのギャップにアンダーフィル材としてシリコーン製の樹脂１４を充填している。
【００２８】
係る構成をとると、金属柱１３の高さは、金属突起の２倍の高さとなり、そのように高く（長く）なることから、回路基板１２と半導体センサチップ１１の熱膨張係数が大きく違っても、温度変化時に生じようとする応力は、当該金属柱１３の部分で吸収され、半導体センサチップ１１に応力が伝わらない。よって、温度変化によりオフセット値が変わることもなく、温度変化に強く、小型で高性能なセンサを構成することができる。
【００２９】
次に、本発明に係る製造方法の実施の形態の前提となる基本構成を説明する。まず、図４に示すように、半導体センサチップ１１の裏面に金属柱１３を製造し、次いで、その金属柱１３を回路基板の金属パターン上に接続するようにする。
【００３０】
そして、以後本発明の重要な工程となる金属柱の製造工程の一例を説明する。まず、図５に示すように、太さ２５μｍ〜３０μｍ程の金ワイヤ２０の先端を溶かしてその先端をボール状にしたボール部２２を、ボンディング台２５の上に置いたセンサチップ１１の裏面１１ａの電極面に超音波や熱を加えて融着によりボンディングする。
【００３１】
なお、本形態のように太さを２５〜３０μｍ程度のものを用いると、ボール部２２の径は１００μｍ程度となる。なお、単純にさらに太い径の金ワイヤを用いると、ボール部の径も大きくなり、高さが１００μｍ以上にできるが、それに伴い幅も広くなるので、高密度化・高配線化により、電極も１００μｍ程度の間隔で配置されるセンサチップ上の複数の電極を短絡するので、本発明の金属柱には実用に供し得ない。
【００３２】
その後、金ワイヤ２０を真上に引っ張り上げると、図６に示すように、半導体センサチップ１１に付いたボール部２２から金ワイヤ２０が引きちぎられ、ボール部２２のみが半導体センサチップ１１上に残る。
【００３３】
その後は、図７に示すように、センサチップ１１から引きちぎって分離した金ワイヤ２０の先端２０ａに対してトーチ電極２７で電圧をかけることで、ボール部を再び形成し、裏面１１ａの別の場所に付着させる。
【００３４】
ところで、もともとは金ワイヤ２０の先端であったボール部２２を引きちぎって裏面１１ａに取りつけると、ボール部２２は、図８に示すようにその先端（上端）２２ａがささくれ立つとともに、高さがばらついてしまう。
【００３５】
そこで、半導体センサチップ１１の裏面１１ａに、１段目の全てのボール部２２を付着させた後、ボール部２２の上方から金属プレート等によって荷重をかけて先端部２２ａを潰す。これにより、図９に示すように、上面が平らな平坦部３０となり、第１金属突起１３ａが形成される。
【００３６】
上記の工程を行うことにより、半導体センサチップ１１の裏面１１ａ上には、図１０に示すように、上端が平坦面となる第１金属突起１３ａが形成される。従って、各第１金属突起１３ａの平坦部３０上に、金ワイヤ２０の先端を接触させて、新たなボール部２２を融着させることが可能となる。その結果、図１１に示すように、第１金属突起１３ａの平坦部３０の上に第２金属突起１３ｂが安定状態で積み重ねられ、金属柱１３が形成される。
【００３７】
以後、通常のベアチップ実装と同様に、ベアチップ実装装置により、この金属柱１３が回路基板上の配線パターンの上に位置するようにして基板１２上に実装され、半導体センサチップ１１の電極と基板１２の配線パターンは、金属柱１３を介して導通される。
【００３８】
また、この実装に先立ち、前もって基板１２側にシリコーン樹脂製の導電ペーストを転写しておいたり、実装装置に内蔵されている転写装置によって金属柱１３に導電ペーストを転写することが望ましい。そして、転写した樹脂が熱可塑性であれば、ホットプレート又は硬化炉で加熱して硬化させることにより、導通を図りつつ接着固定することができる。
【００３９】
さらに、センサチップ１１と基板１２には金属柱１３の高さ分だけギャップが形成されるので、そこのギャップにアンダーフィル材としてシリコーン製の樹脂３６を毛細血管現象を利用して充填するのが実施する上で望ましい。これにより、図３に示すような半導体センサが製造される。
【００４０】
以下、本発明に係る半導体センサの好適な実施の形態を説明する。図１２は本実施の形態の要部を示している。同図に示すように、本実施の形態では、半導体センサチップ１１の裏面に、３本の金属柱１３を近接配置している。具体的には、各金属柱１３の中心が３角形の頂点に配置された形状をしている。これら３本の金属柱１３は、いずれも上述した前提の基本構成のものと同一形状及び同一材質からなる部材である。
【００４１】
そして、同図（ｂ）に示すように、その３本の円柱状の金属柱１３間に形成される隙間３１には、はんだ３３が充填されており、係る３本の金属柱１３を電気機械的に一体化し、強度の向上を図っている。
【００４２】
そして、係る構造のものを製造するには、例えば、上記隙間３１内にはんだペーストを充填後、リフロー炉によってはんだを溶融させると、３箇所に配置された金属柱１３の隙間３１を埋めるようにはんだが流し込まれ、その後冷却することにより固定することができる。
【００４３】
なお、上記した実施の形態では、いずれも金属柱は２つの金属突起を積み重ねることにより形成したが、本発明はこれに限ることはなく、３つ以上であってももちろんよい。そして、仮に１つの金属突起の高さが１００μｍ程度とすると、上記した実施の形態の金属柱の高さは２００μｍ程度となり、また、３つ重ねると３００μｍ程度となる。
【００４４】
一方、基板上にセンサチップを実装したときに、基板とセンサチップの熱膨張係数の違いによって発生する応力や撓みは、金属柱の高さを２００μｍ〜３００μｍとることによって十分抑えられることが実験した結果確認された。よって、本形態のように２段重ねるだけでも十分効果がある。
【００４５】
【発明の効果】
以上のように、本発明に係る半導体センサ及びその製造方法では、半導体センサチップと回路基板に隙間を作るための接続線を兼ねた金属柱を、複数の金属突起を積み上げることで、高くすることができ、その金属柱の部分で温度変化時に生じようとする基板と半導体センサチップの熱膨張係数の相違に基づく応力等が、実用上問題の無い程度に吸収できる。
【００４６】
従って、半導体センサチップの出力特性が、温度変化に伴いオフセット値が変動することもなく、安定した出力特性が得られる。よって、高性能で小型の半導体センサを構成することができる。
【００４７】
さらに、この金属柱の配置を複数個隣接するとともに、金属柱間にはんだが充填されるように構成することで、強度が増す。よって、半導体センサチップに金属柱を形成後、ベアチップ実装装置等によって、半導体センサチップと回路基板を接続する際に生じる圧力によって金属柱が変形・破損等することが可及的に抑制できる。すると、歩留まりが向上し、半導体センサの製造コストを下げることができる。
【００４８】
また、本発明の製造方法を用いて半導体センサを形成するようにすると、複数の金属突起が積み重ねられた突起を持つ半導体センサの製造が容易になるとともに、半導体センサの製造時の破損率を低減することができる。
【図面の簡単な説明】
【図１】従来例を示す図（その１）である。
【図２】従来例を示す図（その２）である。
【図３】本発明に係る半導体センサの実施の形態の前提となる構成を示す図である。
【図４】図３に示す半導体センサチップを示す斜視図である。
【図５】本発明に係る半導体センサの製造方法の一実施の形態を示す工程図（その１）である。
【図６】本発明に係る半導体センサの製造方法の一実施の形態の前提要素を示す工程図（その２）である。
【図７】本発明に係る半導体センサの製造方法の一実施の形態の前提要素を示す工程図（その３）である。
【図８】本発明に係る半導体センサの製造方法の一実施の形態の前提要素を示す工程図（その４）である。
【図９】本発明に係る半導体センサの製造方法の一実施の形態の前提要素を示す工程図（その５）である。
【図１０】本発明に係る半導体センサの製造方法の一実施の形態の前提要素を示す工程図（その６）である。
【図１１】本発明に係る半導体センサの製造方法の一実施の形態の前提要素を示す工程図（その７）である。
【図１２】（ａ）は、本発明に係る半導体センサの好適な一実施の形態の要部を示す斜視図である。
（ｂ）は、本発明に係る半導体センサの好適な一実施の形態の要部を示す平面図である。
【符号の説明】
１０  半導体センサ
１１  半導体センサチップ
１２  基板
１３  金属柱
１３ａ  第１金属突起
１３ｂ  第２金属突起
３０  平坦部
３３  はんだ
【図１】
0003570271.tif 000002
【図２】
0003570271.tif 000003
【図３】
0003570271.tif 000004
【図４】
0003570271.tif 000005
【図５】
0003570271.tif 000006
【図６】
0003570271.tif 000007
【図７】
0003570271.tif 000008
【図８】
0003570271.tif 000009
【図９】
0003570271.tif 000010
【図１０】
0003570271.tif 000011
【図１１】
0003570271.tif 000012
【図１２】
0003570271.tif 000013